(57)【特許請求の範囲】
【請求項１】
取外し可能な人形用衣服であって、エラストマー材料またはゴムから射出成形され、かつ少なくとも一つの一体的に成形された細部を備えており、前記衣服が、実物同様の方法で、関節のある手足を有する人形の少なくとも一部の外面にフィットするよう成形された形状を有し、かつ人形の頭や手足の通る貫通穴を有し、前記射出成形された衣服の外面は塗料またはワニスで装飾されたものであることを特徴とする、人形用衣服。
【請求項２】
請求項１に記載の人形用衣服において、エチレン酢酸ビニル共重合体、（必要に応じて水素化される）スチレン−ブタジエン−スチレン、スチレン−イソプレン−スチレン、スチレン−ジエン、スチレン−イソプレンとスチレン−ブタジエンのブロック共重合体、鉱油を含むスチレン−エチレン−ブチレン・ブロック共重合体、分枝スチレン共重合体、スチレン−ブタジエン・ゴム、スチレン−ブタジエン・トライブロック・ゴム、スチレン−イソプレン−スチレン・リニア・ブロック重合体、スチレン・ブタジエン・ラジアル・ブロック共重合体、ブタジエン−スチレン共重合体ゴムまたは合成ゴムから選択される材料から製造される人形用衣服。
【請求項３】
請求項１または請求項２に記載の人形用衣服において、前記材料の平均弾性率が１ＭＮｍ−２未満である人形用衣服。
【請求項４】
請求項３に記載の人形用衣服において、前記材料の１００％弾性率が１２０〜３５０ｋＮｍ−２の間である人形用衣服。
【請求項５】
請求項４に記載の人形用衣服において、前記１００％弾性率が２４０〜２８０ｋＮｍ−２の間である人形用衣服。
【請求項６】
請求項１から請求項５の何れか一項に記載の人形用衣服において、前記の少なくとも１つの一体的に成形された細部がベルト、ボタンまたは襟である人形用衣服。
【請求項７】
関節のある手足を有する人形と、少なくとも１つの人形用衣服とを含み、前記の少なくとも１つの人形用衣服がエラストマー材料またはゴムから射出成形で製造され、かつ少なくとも一つの一体的に成形された細部を備えており、前記衣服が、実物同様の方法で、関節のある手足を有する人形の少なくとも一部の外面にフィットするよう成形された形状を有し、かつ人形の頭や手足の通る貫通穴を有し、前記射出成形された衣服の外面は塗料またはワニスで装飾されたものであることを特徴とする人形と衣服のセット。
【請求項８】
請求項７に記載の人形と衣服のセットにおいて、前記人形が少なくとも肩、腰および肘の一つに関節を有するセット。
【請求項９】
請求項７または請求項８に記載の人形と衣服のセットにおいて、前記人形が身長８ｃｍ未満であるセット。
【発明の詳細な説明】
【０００１】
【発明の属する技術分野】
本発明は、人形用衣服（ｇａｒｍｅｎｔ）と、人形および少なくとも１つの人形用衣服を含むセット（ｓｅｔ）とに関する。
【０００２】
【従来の技術、及び、発明が解決しようとする課題】
従来、人形の衣類（ｃｌｏｔｈｅｓ）は織物から縫製されているが、これは、編み目（ｓｔｉｔｃｈｅｓ）を形成するのが困難なため、身長約８ｃｍより小さい人形の衣類を製作するには実行不可能である。
従って、代替材料から人形の衣類を模した物品を製造する様々な提案がなされてきた。例えば、米国特許公報ＵＳ−Ａ−４４１４７７４はプラスチック材料からのこうした物品の製造を開示する。この物品は「半剛体または可撓性」と言われているが、実際にはそれらの剛性の程度は、現実味を欠いてかさばって見え、実物同様の方法で着脱できず、特定の形状の人形に制限されるものである。さらに、一度人形に衣類を装着すると、その手足を動かすことができないので、この物品は関節を有する人形には不適当である。
【０００３】
これらの欠点の少なくともいくつかを克服するために、第１の態様から、本発明は、エラストマー材料（ｅｌａｓｔｏｍｅｒｉｃ  ｍａｔｅｒｉａｌ）またはゴムから成形されることを特徴とする、取外し可能な人形用衣服を提供する。
【０００４】
【課題を解決するための手段】
材料は詳細には、エチレン酢酸ビニル共重合体（ｅｔｈｙｌｅｎｅ  ｖｉｎｙｌ  ａｃｅｔａｔｅ  ｃｏｐｏｌｙｍｅｒ：ＥＶＡ）および（（必要に応じて水素化される）スチレン−ブタジエン−スチレン、スチレン−イソプレン−スチレン、スチレン−ジエン（ｓｔｙｒｅｎｅ−ｄｉｅｎｅ）、スチレン−イソプレンとスチレン−ブタジエンのブロック共重合体、鉱油を含むスチレン−エチレン−ブチレン・ブロック共重合体、分枝スチレン共重合体（ｂｒａｎｃｈｅｄ  ｓｔｙｒｅｎｅ  ｃｏｐｏｌｙｍｅｒ）、スチレン−ブタジエン・ゴム、スチレン−ブタジエン・トライブロック・ゴム（ｔｒｉｂｌｏｃｋ  ｒｕｂｂｅｒ）、スチレン−イソプレン−スチレン・リニア・ブロック重合体（ｌｉｎｅａｒ  ｂｌｏｃｋ  ｐｏｌｙｍｅｒ）、スチレン・ブタジエン・ラジアル・ブロック共重合体（ｒａｄｉａｌ  ｂｌｏｃｋ  ｃｏｐｏｌｙｍｅｒ）、ブタジエン−スチレン共重合体ゴムまたは合成ゴムといった）Ｓｈｅｌｌ  Ｃｈｅｍｉｃａｌ  Ｃｏ．によって“Ｋｒａｔｏｎ”の登録商標で市販される重合体の何れかから選択される。好適には、材料の平均弾性率は１ＭＮｍ-2未満である。より好適には、平均試験速度５００ｍｍ／分で測定された１００％弾性率（１００％ｍｏｄｕｌｕｓ  ｏｆ  ｅｌａｓｔｉｃｉｔｙ）が１２０〜３５０ｋＮｍ-2の間であり、さらにより好適には２４０〜２８０ｋＮｍ-2の間である。３００％弾性率は４４０〜４９０ｋＮｍ-2の間にある。こうした数値は、十分な現実性を有する衣服が成形される一方で、細部を成形しにくくなったり、成形された衣服を鋳型から取り出しにくくなるのを避ける材料を提供するが、本発明者はこうした数値は高度弾性重合体によって得られることを発見した。
有利には、衣服の肉厚は１〜３ｍｍである。
好適には、衣服は射出成形されるが、またディップ（ｄｉｐ）成形されることもある。
【０００５】
第２の態様から、本発明は関節のある手足（ａｒｔｉｃｕｌａｔｅｄ  ｌｉｍｂｓ）を有する人形と、少なくとも１つの人形用衣服を含み、前記または各衣服がエラストマー材料またはゴムから成形されることを特徴とする玩具のセット（ｐｌａｙ  ｓｅｔ）を提供する。
人形は好適には肩と股に関節を有しており、さらに肘および／または膝に関節を有することがある。人形は身長が８ｃｍ未満であり、特定の実施形態では、人形の身長は約４ｃｍである。
【０００６】
【発明の実施の形態】
本発明を、添付の図面を参照しながら以下に記述するが、これは単なる例示としてのものにすぎない。
図１の（ａ）〜図１の（ｇ）は、身長約４ｃｍの人形のための射出成形された様々な衣服を示す。より詳細には、図１の（ａ）はドレスを示し、図１の（ｂ）は一足のオーバーオールを示し、図１の（ｃ）はガウンを示し、図１の（ｄ）はジャケットとスカートを示し、図１の（ｅ）はベストとスカートを示し、図１の（ｆ）はジャケットと一足のスラックスを示し、図１の（ｇ）は帽子とコートを示す。衣服はエラストマー材料またはゴムから成形されているので、柔軟性と弾性が顕著であり、従来技術の衣服を模した物品と比較して高度の現実性を提供する。現実性は、塗料、ワニス、装飾品（ｇｌｉｔｔｅｒ）等を使用して衣服を装飾することによってさらに高められる。さらに、ベルト、ボタンおよび襟といった細部が成形処理によって提供される。詳細な例では、衣服は単色のＫｒａｔｏｎ（ｃｌｅａｒ  ｋｒａｔｏｎ）から成形され、Ｋｒａｔｏｎと併用可能な弾性率の塗料によって塗装される。
【０００７】
図２の（ａ）〜図２の（ｆ）は、身長約４ｃｍの立体人形を示す。人形は射出成形プラスチック部品から組み立てられており、肩、腰（ｈｉｐｓ）および膝に関節を有している。
【０００８】
図３の（ａ）〜図３の（ｆ）は、それぞれ図１の（ａ）〜図１の（ｆ）に示す衣服を装着した後の図２の（ａ）〜図２の（ｆ）の人形を示す。その弾性によって、衣服は実物同様の方法、すなわちジャケットは「腕を先に通して」着用でき、ドレス、ズボンおよびスカートは足を踏み入れるように装着できる。しかし、上着類は、人形の頭部の直径と腕の通常の位置のため、足から着た方がより容易なことがある。衣服を着用しても、人形の手足は動かすことができる。衣服は小児でも容易に交換できる。１つの衣服を他の衣服の上に、例えばドレスの上にジャケットを着せるように、着用させることができる。
【０００９】
特定の実施形態が説明されているが、本発明はそれらに制限されるものではない。例えば、本発明による人形は女性の人形同様、男性の形態または立像（ｆｉｇｕｒｉｎｅｓ）および人間以外の形態を含むことがある。衣服にはスーツ、シャツ、コート、半ズボン（ｓｈｏｒｔｓ）、マント、ケープ、制服、帽子、靴、ヘルメット、甲冑およびスカーフが含まれる。さらに、本明細書で使用される際「衣服」という用語には、第２の皮膚や、他の動物または生物に似せた衣装や、岩石、火炎、骨等に似せた成形表面を含む、人形の外面に装着可能なあらゆる柔軟な物品が含まれることを理解されたい。
本発明は特に小型人形に適しているが、あらゆる形状と寸法の人形に適用可能である。
【図面の簡単な説明】
【図１】本発明の実施形態による人形の衣服を示し、（ａ）はドレス、（ｂ）はオーバーオール、（ｃ）はガウン、（ｄ）はジャケットとスカート、（ｅ）はベストとスカート、（ｆ）はジャケットとスラックス、（ｇ）は帽子とコートをそれぞれ示す。
【図２】本発明の実施形態による人形で、（ａ）〜（ｆ）はその様々な異った姿勢を示す。
【図３】それぞれ図１の（ａ）から図１の（ｆ）の衣服を着た図２の（ａ）から図２の（ｆ）の人形を示す。
【図１】
0004355378.tif 000002
【図２】
0004355378.tif 000003
【図３】
0004355378.tif 000004